(57)【要約】【課題】交流電圧の制御方式が導通角制御方式であるかデータ制御方式であるかを判定できる光源制御装置を提供する。【解決手段】光源制御装置５は、電力供給部７と、制御信号生成部８とを備える。電力供給部７は、交流電圧１０１ａに基づいて光源部６に電力を供給する。制御信号生成部８は、交流電圧１０１ａの波形に基づいて交流電圧１０１ａの制御方式を判定し、判定の結果に基づいて電力供給部７の制御方式を決定する。制御信号生成部８は、決定した制御方式に基づいて、電力供給部７を制御する制御信号を生成する。交流電圧１０１ａの制御方式は、少なくとも１種類の導通角制御方式と、少なくとも１種類のデータ制御方式とを含む。導通角制御方式は、交流電圧の導通角を制御する制御方式であり、データ制御方式は、交流電圧の少なくとも１つの半波の少なくとも一部を切欠く制御方式である。【選択図】図３
2020013785.tif 000002
【特許請求の範囲】
【請求項１】
交流電圧に基づいて光源部に電力を供給する電力供給部と、
前記電力供給部を制御する制御信号を生成する制御信号生成部と
を備え、
前記制御信号生成部は、
前記交流電圧の波形に基づいて前記交流電圧の制御方式を判定し、
前記判定の結果に基づいて前記電力供給部の制御方式を決定し、
決定した前記制御方式に基づいて前記制御信号を生成し、
前記交流電圧の制御方式は、少なくとも１種類の導通角制御方式と、少なくとも１種類のデータ制御方式とを含み、
前記導通角制御方式は、前記交流電圧の導通角を制御する制御方式であり、
前記データ制御方式は、前記交流電圧の少なくとも１つの半波の少なくとも一部を切欠く制御方式である、光源制御装置。
【請求項２】
前記制御信号生成部は、前記交流電圧の波形が制御されているか否かを判定する、請求項１に記載の光源制御装置。
【請求項３】
前記光源部は、互いに光色が異なる複数種類の光源を有し、
前記制御信号生成部は、
プルレス操作が行われたか否かを判定し、
前記プルレス操作が行われたと判定した場合、前記光源部から発生する光の光色を切り替える前記制御信号を生成し、
前記プルレス操作は、前記交流電圧の導通が遮断された後、第１所定期間内に前記交流電圧の導通が開始される操作を示す、請求項１又は請求項２に記載の光源制御装置。
【請求項４】
前記制御信号生成部は、
前記光源部の消灯時の光色を記憶し、
前記光源部の点灯時に、前記光源部から前記消灯時の光色の光を発生させる前記制御信号を生成する、請求項１から請求項３のいずれか１項に記載の光源制御装置。
【請求項５】
前記制御信号生成部は、
前記光源部の消灯時の光色を記憶し、
前記プルレス操作が行われたと判定した場合、前記光源部から発生する光の光色を前記消灯時の光色から切り替える前記制御信号を生成し、
前記プルレス操作が行われなかったと判定した場合、前記光源部から前記消灯時の光色の光を発生させる前記制御信号を生成する、請求項３に記載の光源制御装置。
【請求項６】
前記少なくとも１種類の導通角制御方式は、
前記交流電圧の半波の導通開始位相を制御する正位相調光方式と、
前記交流電圧の半波の導通遮断位相を制御する逆位相調光方式と
を含み、
前記制御信号生成部は、前記交流電圧の制御方式が、前記正位相調光方式であるか前記逆位相調光方式であるかを判定する、請求項１から請求項５のいずれか１項に記載の光源制御装置。
【請求項７】
前記制御信号生成部は、前記交流電圧の半波の導通開始位相が、前記交流電圧の半波が開始するゼロクロス点よりも後側に位置する場合、前記交流電圧の制御方式が前記正位相調光方式であると判定する、請求項６に記載の光源制御装置。
【請求項８】
前記制御信号生成部は、前記交流電圧の半波の導通遮断位相が、前記交流電圧の半波が終了するゼロクロス点よりも前側に位置し、かつ、前記交流電圧の半波の導通角が所定値よりも小さい場合、前記交流電圧の制御方式が前記逆位相調光方式であると判定する、請求項６又は請求項７に記載の光源制御装置。
【請求項９】
前記少なくとも１種類のデータ制御方式は、前記交流電圧の半波の後側の一部を切り欠くとともに、制御信号設定区間において、少なくとも１つの前記半波の前側の少なくとも一部を切り欠く第１データ制御方式を含む、請求項１から請求項８のいずれか１項に記載の光源制御装置。
【請求項１０】
前記制御信号生成部は、前記交流電圧の少なくとも１つの半波が前側及び後側に切り欠きを含む場合、前記交流電圧の制御方式が前記第１データ制御方式であると判定する、請求項９に記載の光源制御装置。
【請求項１１】
前記少なくとも１種類のデータ制御方式は、制御信号設定区間において、前記交流電圧の少なくとも１つの半波の前側の少なくとも一部を切り欠く第２データ制御方式を含む、請求項１から請求項１０のいずれか１項に記載の光源制御装置。
【請求項１２】
前記制御信号生成部は、前記交流電圧の導通開始時に前記交流電圧が正弦波状の波形を有し、前記導通開始時から第２所定期間経過後に前記交流電圧の半波が前側に切り欠きを含む場合、前記交流電圧の制御方式が前記第２データ制御方式であると判定する、請求項１１に記載の光源制御装置。
【請求項１３】
光源部と、請求項１から請求項１２のいずれか１項に記載の光源制御装置とを備える照明器具。
【発明の詳細な説明】
【技術分野】
【０００１】
本発明は、光源制御装置、及び照明器具に関する。
【背景技術】
【０００２】
近年、照明用光源として、白熱電球や蛍光灯に代わり、ＬＥＤ（Ｌｉｇｈｔ  Ｅｍｉｔｔｉｎｇ  Ｄｉｏｄｅ）が普及してきている。ＬＥＤ照明器具の制御方式には、導通角制御方式と、データ制御方式とがある。
【０００３】
導通角制御方式には、正位相調光方式と逆位相調光（Ｔｒａｉｌｉｎｇ  Ｅｄｇｅ  Ｄｉｍｍｉｎｇ）方式とがある。正位相調光方式は、交流電圧の各半波の導通が開始する導通開始位相を制御する制御方式である。逆位相調光方式は、交流電圧の各半波の導通が遮断される導通遮断位相を制御する制御方式である。特許文献１に記載の照明器具は、交流電圧の導通角制御の有無、及び、導通角制御が正位相調光方式か逆位相調光方式かを判定する。
【０００４】
データ制御方式には、４線式又は３線式に対応するデータ制御方式と、２線式に対応するデータ制御方式とがある。特許文献２には、４線式又は３線式に対応するデータ制御方式が記載されている。具体的には、特許文献２には、制御信号設定区間において、交流電圧の少なくとも１つの半波の前側の少なくとも一部を切り欠くデータ制御方式が記載されている。特許文献３には、２線式に対応するデータ制御方式が記載されている。具体的には、特許文献３には、交流電圧の半波の後側の一部を切欠くとともに、制御信号設定区間において、交流電圧の少なくとも１つの半波の前側の少なくとも一部を切り欠くデータ制御方式が記載されている。
【先行技術文献】
【特許文献】
【０００５】
【特許文献１】特開２０１４−１８２６６０号公報
【特許文献２】特開２０１５−２１１０１４号公報
【特許文献３】特開２０１７−１８３１６９号公報
【発明の概要】
【発明が解決しようとする課題】
【０００６】
本発明の目的は、交流電圧の制御方式が導通角制御方式であるかデータ制御方式であるかを判定できる光源制御装置、及び照明器具を提供することにある。
【課題を解決するための手段】
【０００７】
本願に開示する光源制御装置は、電力供給部と、制御信号生成部とを備える。前記電力供給部は、交流電圧に基づいて光源部に電力を供給する。前記制御信号生成部は、前記電力供給部を制御する制御信号を生成する。前記制御信号生成部は、前記交流電圧の波形に基づいて前記交流電圧の制御方式を判定し、前記判定の結果に基づいて前記電力供給部の制御方式を決定する。前記制御信号生成部は、決定した前記制御方式に基づいて前記制御信号を生成する。前記交流電圧の制御方式は、少なくとも１種類の導通角制御方式と、少なくとも１種類のデータ制御方式とを含む。前記導通角制御方式は、前記交流電圧の導通角を制御する制御方式である。前記データ制御方式は、前記交流電圧の少なくとも１つの半波の少なくとも一部を切欠く制御方式である。
【０００８】
本願に開示する光源制御装置において、前記制御信号生成部は、前記交流電圧の波形が制御されているか否かを判定する。
【０００９】
本願に開示する光源制御装置において、前記光源部は、互いに光色が異なる複数種類の光源を有する。
【００１０】
本願に開示する光源制御装置において、前記制御信号生成部は、プルレス操作が行われたか否かを判定する。前記制御信号生成部は、前記プルレス操作が行われたと判定した場合、前記光源部から発生する光の光色を切り替える前記制御信号を生成する。前記プルレス操作は、前記交流電圧の導通が遮断された後、第１所定期間内に前記交流電圧の導通が開始される操作を示す。
【００１１】
本願に開示する光源制御装置において、前記制御信号生成部は、前記光源部の消灯時の光色を記憶する。前記制御信号生成部は、前記光源部の点灯時に、前記光源部から前記消灯時の光色の光を発生させる前記制御信号を生成する。
【００１２】
本願に開示する光源制御装置において、前記制御信号生成部は、前記光源部の消灯時の光色を記憶する。前記制御信号生成部は、前記プルレス操作が行われたと判定した場合、前記光源部から発生する光の光色を前記消灯時の光色から切り替える前記制御信号を生成する。前記制御信号生成部は、前記プルレス操作が行われなかったと判定した場合、前記光源部から前記消灯時の光色の光を発生させる前記制御信号を生成する。
【００１３】
本願に開示する光源制御装置において、前記少なくとも１種類の導通角制御方式は、前記交流電圧の半波の導通開始位相を制御する正位相調光方式と、前記交流電圧の半波の導通遮断位相を制御する逆位相調光方式とを含む。前記制御信号生成部は、前記交流電圧の制御方式が、前記正位相調光方式であるか前記逆位相調光方式であるかを判定する。
【００１４】
本願に開示する光源制御装置において、前記制御信号生成部は、前記交流電圧の半波の導通開始位相が、前記交流電圧の半波が開始するゼロクロス点よりも後側に位置する場合、前記交流電圧の制御方式が前記正位相調光方式であると判定する。
【００１５】
本願に開示する光源制御装置において、前記制御信号生成部は、前記交流電圧の半波の導通遮断位相が、前記交流電圧の半波が終了するゼロクロス点よりも前側に位置し、かつ、その半波の導通角が所定値よりも小さい場合、前記交流電圧の制御方式が前記逆位相調光方式であると判定する。
【００１６】
本願に開示する光源制御装置において、前記少なくとも１種類のデータ制御方式は、前記交流電圧の半波の後側の一部を切り欠くとともに、制御信号設定区間において、少なくとも１つの前記半波の前側の少なくとも一部を切り欠く第１データ制御方式を含む。
【００１７】
本願に開示する光源制御装置において、前記制御信号生成部は、前記交流電圧の少なくとも１つの半波が前側及び後側に切り欠きを含む場合、前記交流電圧の制御方式が前記第１データ制御方式であると判定する。
【００１８】
本願に開示する光源制御装置において、前記少なくとも１種類のデータ制御方式は、制御信号設定区間において、前記交流電圧の少なくとも１つの半波の前側の少なくとも一部を切り欠く第２データ制御方式を含む。
【００１９】
本願に開示する光源制御装置において、前記制御信号生成部は、前記交流電圧の導通開始時に前記交流電圧が正弦波状の波形を有し、前記導通開始時から第２所定期間経過後に前記交流電圧の半波が前側に切り欠きを含む場合、前記交流電圧の制御方式が前記第２データ制御方式であると判定する。
【００２０】
本願に開示する照明器具は、光源部と、上記した光源制御装置のいずれかとを備える。
【発明の効果】
【００２１】
本願に開示する光源制御装置、及び照明器具によれば、交流電圧の制御方式が導通角制御方式であるかデータ制御方式であるかを判定することができる。
【図面の簡単な説明】
【００２２】
【図１】実施形態１に係る照明システムを示すブロック図である。
【図２】（ａ）は、交流電源から照明制御装置へ供給される交流電圧を示す図である。（ｂ）〜（ｅ）は、照明制御装置から照明器具へ供給される交流電圧を示す図である。
【図３】実施形態１に係る照明器具の構成を示すブロック図である。
【図４】実施形態１に係る制御信号生成部が実行する処理を示すフローチャートである。
【図５】実施形態１に係る制御信号生成部が実行する処理を示すフローチャートである。
【図６】実施形態１に係る制御信号生成部が実行する処理を示すフローチャートである。
【図７】（ａ）は、実施形態１に係る照明器具が備える整流回路の出力の一例を示す図である。（ｂ）は、実施形態１に係る照明器具が備える比較回路の出力の一例を示す図である。
【図８】（ａ）は、実施形態１に係る照明器具が備える整流回路の出力の一例を示す図である。（ｂ）は、実施形態１に係る照明器具が備える比較回路の出力の一例を示す図である。
【図９】（ａ）は、図８（ａ）の一部を拡大して示す図である。（ｂ）は、図８（ｂ）の一部を拡大して示す図である。（ｃ）は、実施形態１に係る判定用パルス信号を示す図である。
【図１０】（ａ）は、実施形態１に係る照明器具が備える整流回路の出力の一例を示す図である。（ｂ）は、実施形態１に係る照明器具が備える比較回路の出力の一例を示す図である。
【図１１】（ａ）は、実施形態１に係る照明器具が備える整流回路の出力の一例を示す図である。（ｂ）は、実施形態１に係る照明器具が備える比較回路の出力の一例を示す図である。
【図１２】（ａ）は、図１１（ａ）の一部を拡大して示す図である。（ｂ）は、図１１（ｂ）の一部を拡大して示す図である。（ｃ）は、実施形態１に係る判定用パルス信号を示す図である。
【図１３】実施形態１に係る照明システムの他例を示すブロック図である。
【図１４】（ａ）は、交流電源から照明制御装置へ供給される交流電圧を示す図である。（ｂ）は、４線式又は３線式の照明コントローラから照明器具へ供給される交流電圧を示す図である。
【図１５】実施形態２に係る制御信号生成部が実行する処理を示すフローチャートである。
【図１６】（ａ）は、実施形態２に係る照明器具が備える整流回路の出力の一例を示す図である。（ｂ）は、実施形態２に係る照明器具が備える比較回路の出力の一例を示す図である。
【図１７】実施形態３に係る照明システムを示すブロック図である。
【図１８】実施形態３に係る照明制御装置の制御部が実行する処理を示すフローチャートである。
【発明を実施するための形態】
【００２３】
以下、図面を参照して本発明の実施形態を説明する。ただし、本発明は以下の実施形態に限定されない。なお、説明が重複する箇所については、適宜説明を省略する場合がある。また、図中、同一又は相当部分については同一の参照符号を付して説明を繰り返さない。
【００２４】
［実施形態１］
まず、図１を参照して、本実施形態の照明システム１を説明する。図１は、本実施形態に係る照明システム１を示すブロック図である。図１に示すように、照明システム１は、照明制御装置３と、照明器具４とを備える。
【００２５】
照明制御装置３は、ユーザーの操作に応じて照明器具４を制御する。具体的には、照明制御装置３は、電源スイッチ、正位相調光方式の調光器、逆位相調光（Ｔｒａｉｌｉｎｇ  Ｅｄｇｅ  Ｄｉｍｍｉｎｇ）方式の調光器、又は、データ制御方式の照明コントローラである。なお、以下の説明において、データ制御方式の照明コントローラを「照明コントローラ」と記載する場合がある。
【００２６】
電源スイッチは、例えば壁スイッチである。電源スイッチによって照明器具４の点灯及び消灯を切り替えることができる。具体的には、電源スイッチがオンの状態になると、交流電源２から照明器具４に電力が供給されて、照明器具４が点灯する。また、電源スイッチがオフの状態になると、交流電源２から照明器具４への電力の供給が遮断されて、照明器具４は消灯する。なお、後述するように、ユーザーは電源スイッチをプルレス操作して、照明器具４から発生する光の光色を変化させることができる。
【００２７】
正位相調光方式の調光器は、光量操作部と、電源スイッチとを備える。逆位相調光方式の調光器も同様に、光量操作部と、電源スイッチとを備える。光量操作部は、例えば、つまみ（ボリューム）、複数個の押しボタン、又は、タッチパネルである。ユーザーは、光量操作部を操作して、照明器具４から発生する光の光量を変化させることができる。また、後述するように、ユーザーは、調光器の電源スイッチをプルレス操作して、照明器具４から発生する光の光色を変化させることができる。
【００２８】
正位相調光方式は、導通角制御方式の１種である。逆位相調光方式も同様に、導通角制御方式の１種である。導通角制御方式は、交流電源２から供給される交流電圧の導通角を制御して、照明器具４から発生する光の光量を制御する制御方式である。
【００２９】
正位相調光方式は、交流電圧の各半波の導通が開始する導通開始位相を制御する制御方式である。正位相調光方式の調光器は、ユーザーによる光量操作部の操作に応じて、交流電源２から供給される交流電圧の導通開始位相を制御する。正位相調光方式では、交流電圧の半波が開始するゼロクロス点よりも後側に導通開始位相が位置する。したがって、正位相調光方式では、交流電圧の半波は、交流電圧の半波が開始するゼロクロス点と導通開始位相との間に切り欠きを含む。切り欠きは、交流電圧の導通が遮断されている期間を示す。以下、交流電圧の半波が開始するゼロクロス点と導通開始位相との間の切り欠きを「前欠け」と記載する場合がある。
【００３０】
逆位相調光方式は、交流電圧の各半波の導通が遮断される導通遮断位相を制御する制御方式である。逆位相調光方式の調光器は、ユーザーによる光量操作部の操作に応じて、交流電源２から供給される交流電圧の導通遮断位相を制御する。逆位相調光方式では、交流電圧の半波が終了するゼロクロス点よりも前側に導通遮断位相が位置する。したがって、逆位相調光方式では、交流電圧の半波は、交流電圧の半波が終了するゼロクロス点と導通遮断位相との間に切り欠きを含む。切り欠きは、交流電圧の導通が遮断されている期間を示す。以下、交流電圧の半波が終了するゼロクロス点と導通遮断位相との間の切り欠きを「後ろ欠け」と記載する場合がある。
【００３１】
照明コントローラは、光色操作部と、光量操作部と、電源スイッチとを備える。光色操作部及び光量操作部は、例えば、複数個の押しボタン、又はタッチパネルである。ユーザーは、光色操作部を操作して、照明器具４から発生する光の光色を変化させることができる。また、ユーザーは、光量操作部を操作して、照明器具４から発生する光の光量を変化させることができる。
【００３２】
照明コントローラは、制御信号設定区間において、交流電源２から供給される交流電圧の波形を、ユーザーの操作に対応する波形に変化させる。詳しくは、ユーザーの操作に応じた前欠けのパターンが設定される。そして、制御信号設定区間の交流電圧の波形が、設定された前欠けのパターンを含む波形となる。具体的には、設定された前欠けのパターンに応じて、制御信号設定区間の少なくとも１つの半波が前側に切り欠きを含む。ここで、半波の前側は、半波が開始するゼロクロス点から半波の絶対値が最大となるまでの部分である。
【００３３】
前欠けのパターンは、光色の設定値と光量の設定値とのうちの少なくとも一方を示すデータ列（ビット列）に対応する。光色の設定値は、ユーザーによる光色操作部の操作に応じて決定される。光量の設定値は、ユーザーによる光量操作部の操作に応じて決定される。例えば、前欠けを含む半波は値「１」のデータを示し、前欠けを含まない半波、すなわち正弦波状の半波は、値「０」のデータを示す。
【００３４】
データ制御方式によれば、互いに光色が異なる光源の光量を個別に制御して、調光調色を行うことができる。なお、制御信号設定区間は、半波の数によって予め規定される。したがって、制御信号設定区間には所定数の半波が含まれる。
【００３５】
本実施形態において、照明コントローラは、２線式である。２線式に対応するデータ制御方式は、交流電圧の各半波の後側の一部を切り欠くとともに、制御信号設定区間において、交流電圧の少なくとも１つの半波の前側の一部を切り欠く制御方式である。したがって、２線式の照明コントローラから出力される交流電圧の各半波は、後ろ欠けを含む。また、制御信号設定区間において、交流電圧の少なくとも１つの半波は、前欠けと後ろ欠けとを含む。２線式の照明コントローラが交流電圧の各半波の後側の一部を切り欠くのは、照明コントローラの動作電圧を確保するためである。ここで、半波の後側は、半波の絶対値が最大となってから半波が終了するゼロクロス点までの部分である。
【００３６】
なお、２線式に対応するデータ制御方式では、逆位相調光方式と異なり、ユーザーは導通遮断位相を制御できない。また、２線式に対応するデータ制御方式では、正位相調光方式と異なり、ユーザーは、前欠けを含む半波の導通開始位相を制御できない。２線式に対応するデータ制御方式は、特開２０１７−１８３１６９号公報（上記の特許文献３）に記載されている。以下、２線式に対応するデータ制御方式を「第１データ制御方式」と記載する場合がある。
【００３７】
照明器具４は、照明制御装置３から出力された交流電圧の波形が制御されているか否かを判定する。具体的には、照明器具４は、交流電圧の波形が正弦波状であるか否かを判定する。換言すると、照明器具４は、交流電圧の波形が前欠け又は後ろ欠けを含むか否かを判定する。
【００３８】
照明器具４は、交流電圧の波形が制御されている場合、交流電圧の波形に基づいて、交流電圧の制御方式を判定する。具体的には、照明器具４は、交流電圧の制御方式が正位相調光方式、逆位相調光方式、及び第１データ制御方式のうちのいずれであるかを判定する。
【００３９】
本実施形態の照明器具４は、プルレス操作が行われたか否かを判定する。具体的には、照明器具４は、交流電圧の波形が制御されていない場合に、プルレス操作が行われたか否かを判定する。また、照明器具４は、交流電圧の制御方式が正位相調光方式、又は逆位相調光方式である場合に、プルレス操作が行われたか否かを判定する。
【００４０】
プルレス操作は、交流電圧の導通が遮断された後、所定期間内に交流電圧の導通が開始される操作である。換言すると、プルレス操作は、照明制御装置３の電源スイッチがオンの状態からオフの状態に切り替えられた後、所定期間内に照明制御装置３の電源スイッチがオンの状態に切り替えられる操作である。所定期間は、例えば、交流電圧の導通が遮断されてから０．８秒以後１．４秒以内の期間である。照明器具４は、プルレス操作に応じて、照明器具４から発生する光の光色を段階的に切り替える。本実施形態の照明器具４は、プルレス操作に応じて光色を３段階で変化させる。
【００４１】
続いて図１及び図２（ａ）〜図２（ｅ）を参照して、照明制御装置３から照明器具４に供給される交流電圧１０１ａの波形について説明する。具体的には、電源スイッチ、正位相調光方式の調光器、逆位相調光方式の調光器、及び２線式の照明コントローラから出力される交流電圧１０１ａの波形について説明する。
【００４２】
図２（ａ）は、交流電源２から照明制御装置３へ供給される交流電圧１０１を示す図である。図２（ｂ）〜図２（ｅ）は、照明制御装置３から照明器具４へ供給される交流電圧１０１ａを示す図である。具体的には、図２（ｂ）は、電源スイッチから出力される交流電圧１０１ａを示す。図２（ｃ）は、正位相調光方式の調光器から出力される交流電圧１０１ａを示す。図２（ｄ）は、逆位相調光方式の調光器から出力される交流電圧１０１ａを示す。図２（ｅ）は、２線式の照明コントローラから出力される交流電圧１０１ａを示す。
【００４３】
図２（ａ）に示すように、交流電圧１０１は正弦波状の波形を有する。即ち、交流電圧１０１は、正弦波状の半波１０２から構成される。また、交流電圧１０１は、ゼロクロス点１０３を含む。交流電源２が商用電源である場合、交流電圧１０１の周波数は５０Ｈｚ又は６０Ｈｚである。
【００４４】
図２（ｂ）は、電源スイッチがオフの状態からオンの状態に遷移した直後の交流電圧１０１ａの波形を示す。図２（ｂ）に示すように、電源スイッチから出力される交流電圧１０１ａは、正弦波状の波形を有する。即ち、交流電圧１０１ａは、交流電圧１０１と同様の波形を有する。
【００４５】
図２（ｃ）は、調光器の電源スイッチがオフの状態からオンの状態に遷移した直後の交流電圧１０１ａの波形を示す。図２（ｃ）に示すように、正位相調光方式の調光器は、前欠け１１１を含む半波１０２を出力する。また、正位相調光方式の調光器は、電源スイッチがオフの状態からオンの状態に遷移すると、所謂スロースタートを実行する。
【００４６】
具体的には、電源スイッチがオフの状態からオンの状態に遷移した直後、導通開始位相１１１ａは、半波１０２が開始するゼロクロス点１０３から離れた特定の位相に設定される。その後、半波１０２ごとに、半波１０２が開始するゼロクロス点１０３に導通開始位相１１１ａが徐々に近づく。そして、所定の周期後に、導通開始位相１１１ａは一定に設定される。この結果、電源スイッチがオフの状態からオンの状態に遷移すると、照明器具４は、まず低輝度で点灯し、その後、照明器具４の輝度が徐々に高くなる。
【００４７】
図２（ｄ）は、調光器の電源スイッチがオフの状態からオンの状態に遷移した直後の交流電圧１０１ａの波形を示す。図２（ｄ）に示すように、逆位相調光方式の調光器は、後ろ欠け１１２を含む半波１０２を出力する。また、逆位相調光方式の調光器は、電源スイッチがオフの状態からオンの状態に遷移すると、所謂スロースタートを実行する。
【００４８】
具体的には、電源スイッチがオフの状態からオンの状態に遷移した直後、導通遮断位相１１２ａは、半波１０２が終了するゼロクロス点１０３から離れた特定の位相に設定される。その後、半波１０２ごとに、半波１０２が終了するゼロクロス点１０３に導通遮断位相１１２ａが徐々に近づく。そして、所定の周期後に、導通遮断位相１１２ａは一定に設定される。この結果、電源スイッチがオフの状態からオンの状態に遷移すると、照明器具４は、まず低輝度で点灯し、その後、照明器具４の輝度が徐々に高くなる。
【００４９】
図２（ｅ）は、照明コントローラの電源スイッチがオフの状態からオンの状態に遷移した直後の交流電圧１０１ａの波形を示す。図２（ｅ）に示すように、２線式の照明コントローラは、後ろ欠け１１２を含む半波１０２を出力する。そして、所定の周期以後に、前欠け１１１及び後ろ欠け１１２を含む半波１０２を出力する。即ち、所定の周期後に、制御信号設定区間が開始される。２線式に対応するデータ制御方式では、導通遮断位相１１２ａは一定であり、半波１０２の後側に位置する。具体的には、導通遮断位相１１２ａは、半波１０２の絶対値が最大となってから半波１０２が終了するゼロクロス点１０３までの間に位置する。また、前欠け１１１を含む半波１０２の導通開始位相１１１ａは一定であり、半波１０２の前側に位置する。具体的には、導通開始位相１１１ａは、半波１０２が開始するゼロクロス点１０３から半波１０２の絶対値が最大となるまでの間に位置する。２線式に対応するデータ制御方式では、例えば、前欠け１１１及び後ろ欠け１１２を含む半波１０２は値「１」のデータを示し、後ろ欠け１１２のみを含む半波１０２は値「０」のデータを示す。
【００５０】
続いて図３を参照して、照明器具４の構成を説明する。図３は、本実施形態に係る照明器具４の構成を示すブロック図である。図３に示すように、照明器具４は、光源制御装置５と、光源部６とを備える。
【００５１】
光源制御装置５は、光源部６を制御する。光源制御装置５は電源装置であり得る。本実施形態の光源部６は、第１光源６ａ及び第２光源６ｂを有する。第１光源６ａ及び第２光源６ｂは、互いに光色が異なる光を発生させる。本実施形態において、第１光源６ａから発生する光の光色は２７００Ｋ（ケルビン）であり、第２光源６ｂから発生する光の光色は５０００Ｋ（ケルビン）である。第１光源６ａ及び第２光源６ｂは、例えばＬＥＤ又は有機ＥＬ素子である。
【００５２】
光源制御装置５は、照明制御装置３の電源スイッチの操作に応じて、光源部６から発生する光の点灯及び消灯を制御する。また、照明制御装置３が電源スイッチ又は調光器である場合、光源制御装置５は、プルレス操作に応じて、光源部６から発生する光の光色を３段階で切り替える。詳しくは、光源制御装置５は、光源部６から発生する光の光色を２７００Ｋ（ケルビン）、３５００Ｋ（ケルビン）、５０００Ｋ（ケルビン）の順に切り替える。更に、照明制御装置３が調光器である場合、光源制御装置５は、光量操作部の操作に応じて、光源部６から発生する光の光量を制御する。なお、以下の説明において、光源部６から発生する光の光色を「光源部６の光色」と記載する場合がある。また、光源部６から発生する光の光量を「光源部６の光量」と記載する場合がある。
【００５３】
光源制御装置５は、照明制御装置３が照明コントローラである場合、光色操作部の操作に応じて、光源部６の光色を制御する。詳しくは、光源制御装置５は、２７００Ｋ以上５０００Ｋ以下の範囲において光色を制御する。また、光源制御装置５は、光量操作部の操作に応じて、光源部６の光量を制御する。
【００５４】
続いて図３を参照して、光源制御装置５を更に説明する。図３に示すように、光源制御装置５は、電力供給部７と、制御信号生成部８とを備える。電力供給部７には、照明制御装置３から、図２（ｂ）〜図２（ｅ）を参照して説明した交流電圧１０１ａが入力される。電力供給部７は、交流電圧１０１ａに基づいて光源部６に電力を供給する。制御信号生成部８は、電力供給部７を制御する制御信号を生成する。
【００５５】
本実施形態において、制御信号生成部８は、交流電圧１０１ａの波形が制御されているか否かを判定する。交流電圧１０１ａの波形が制御されていない場合、制御信号生成部８は、電力供給部７の制御方式を第１制御方式に決定し、第１制御方式に基づいて制御信号を生成する。
【００５６】
第１制御方式において、制御信号生成部８は、光源部６の光色を切り替える制御信号のみを生成する。具体的には、制御信号生成部８は、プルレス操作に応じて光源部６の光色を切り替える。
【００５７】
交流電圧１０１ａの波形が制御されている場合、制御信号生成部８は、交流電圧１０１ａの波形に基づいて交流電圧１０１ａの制御方式を判定する。本実施形態において、制御信号生成部８は、交流電圧１０１ａの制御方式が正位相調光方式、逆位相調光方式、及び第１データ制御方式のうちのいずれであるかを判定する。制御信号生成部８は、判定の結果に基づいて電力供給部７の制御方式を決定し、決定した制御方式に基づいて制御信号を生成する。
【００５８】
詳しくは、制御信号生成部８は、交流電圧１０１ａの制御方式が正位相調光方式であると判定した場合、電力供給部７の制御方式を第２制御方式に決定し、第２制御方式に基づいて制御信号を生成する。第２制御方式は、正位相調光方式であり、制御信号生成部８は、図２（ｃ）を参照して説明した導通開始位相１１１ａに基づいて、光源部６の光量を制御する制御信号を生成する。また、制御信号生成部８は、電力供給部７の制御方式を第２制御方式に決定した場合、プルレス操作に応じて、光源部６の光色を切り替える制御信号を生成する。
【００５９】
制御信号生成部８は、交流電圧１０１ａの制御方式が逆位相調光方式であると判定した場合、電力供給部７の制御方式を第３制御方式に決定し、第３制御方式に基づいて制御信号を生成する。第３制御方式は、逆位相調光方式であり、制御信号生成部８は、図２（ｄ）を参照して説明した導通遮断位相１１２ａに基づいて、光源部６の光量を制御する制御信号を生成する。また、制御信号生成部８は、電力供給部７の制御方式を第３制御方式に決定した場合、プルレス操作に応じて、光源部６の光色を切り替える制御信号を生成する。
【００６０】
制御信号生成部８は、交流電圧１０１ａの制御方式が第１データ制御方式であると判定した場合、電力供給部７の制御方式を第４制御方式に決定し、第４制御方式に基づいて制御信号を生成する。第４制御方式は、データ制御方式であり、制御信号生成部８は、図１及び図２（ｅ）を参照して説明した前欠け１１１のパターンに基づいて、光源部６の光量及び光色を制御する制御信号を生成する。具体的には、制御信号生成部８は、制御信号設定区間において交流電圧１０１ａの波形が示すデータ列に基づいて、光源部６の光量及び光色を制御する。
【００６１】
本実施形態において、制御信号生成部８は、電力供給部７の制御方式を第１制御方式に決定した場合、光源部６の光色を２７００Ｋ、３５００Ｋ、及び５０００Ｋのいずれかに設定する制御信号を生成する。光源部６の光色を２７００Ｋに設定する場合、制御信号生成部８は、第１光源６ａにのみ電力が供給されるように電力供給部７を制御する。光源部６の光色を５０００Ｋに設定する場合、制御信号生成部８は、第２光源６ｂにのみ電力が供給されるように電力供給部７を制御する。光源部６の光色を３５００Ｋに設定する場合、制御信号生成部８は、第１光源６ａ及び第２光源６ｂに電力が供給されるように電力供給部７を制御する。
【００６２】
また、制御信号生成部８は、電力供給部７の制御方式を第１制御方式、第２制御方式及び第３制御方式のいずれかに設定した場合、光源部６の消灯時の光色を記憶する。具体的には、光源部６の消灯直前の光色を記憶する。また、制御信号生成部８は、電力供給部７の制御方式を第１制御方式、第２制御方式及び第３制御方式のいずれかに設定した場合、プルレス操作が行われたか否かを判定する。詳しくは、制御信号生成部８は、交流電圧１０１ａの導通が遮断された後、所定期間内に交流電圧１０１ａの導通が開始されたか否かを判定する。換言すると、制御信号生成部８は、照明制御装置３の電源スイッチがオフの状態となった後、所定期間内に照明制御装置３の電源スイッチがオンの状態となったか否かを判定する。
【００６３】
制御信号生成部８は、交流電圧１０１ａの導通が遮断された後、所定期間内に交流電圧１０１ａの導通が開始されなかった場合、プルレス操作が行われなかった判定し、光源部６から前回消灯時の光色の光を発生させる制御信号を生成する。
【００６４】
制御信号生成部８は、交流電圧１０１ａの導通が遮断された後、所定期間内に交流電圧１０１ａの導通が開始された場合、プルレス操作が行われたと判定し、光源部６の光色を前回消灯時の光色から切り替える制御信号を生成する。例えば、前回消灯時の光色が３５００Ｋである場合、制御信号生成部８は、光源部６の光色が５０００Ｋとなるように電力供給部７を制御する。
【００６５】
なお、光源部６の光色を３５００Ｋに設定する場合、光源部６の光色が５０００Ｋである際に第２光源６ｂに供給される電力の５０％の電力が第２光源６ｂに供給されるとともに、光源部６の光色が２７００Ｋである際に第１光源６ａに供給される電力の５０％の電力が第１光源６ａに供給される。この結果、光源部６の光色が３５００Ｋである際に、光源部６の光色が５０００Ｋ又は２７００Ｋである際に光源部６から発生する光と略同じ輝度の光が発生する。
【００６６】
制御信号生成部８は、電力供給部７の制御方式を第４制御方式に設定した場合、光源部６の点灯時の光色及び光量が前回消灯時の光量及び光色となるように電力供給部７を制御する。詳しくは、制御信号生成部８は、光源部６の消灯時（消灯直前）の光色及び光量を記憶する。具体的には、制御信号生成部８は、前欠け１１１のパターンに対応するデータ列（ビット列）を生成し、生成したデータ列に基づいて制御信号を生成する。制御信号生成部８は、生成したデータ列を記憶することにより、光源部６の消灯時の光色及び光量を記憶する。制御信号生成部８は、光源部６の点灯時に、記憶しているデータ列に基づいて、光源部６の光色及び光量が前回消灯時の光量及び光色となるように電力供給部７を制御する。
【００６７】
続いて図１〜６を参照して、制御信号生成部８が実行する処理について説明する。図４〜図６は、実施形態１に係る制御信号生成部８が実行する処理を示すフローチャートである。より具体的には、図４〜図６は、照明制御装置３から照明器具４へ交流電圧１０１ａの供給が開始された直後に制御信号生成部８が実行する処理を示す。
【００６８】
図４に示すように、照明制御装置３の電源スイッチがオフの状態からオンの状態に遷移すると、照明制御装置３から交流電圧１０１ａが出力される（ステップＳ１）。
【００６９】
交流電圧１０１ａの出力が開始されると、制御信号生成部８は、交流電圧１０１ａが正弦波状の半波１０２を含むか否かを判定する（ステップＳ２）。換言すると、制御信号生成部８は、交流電圧１０１ａの波形が制御されているか否かを判定する。
【００７０】
図２（ｂ）〜図２（ｅ）を参照して説明したように、照明制御装置３が電源スイッチである場合にのみ、正弦波状の半波１０２が出力される。制御信号生成部８は、交流電圧１０１ａが正弦波状の半波１０２を含むと判定した場合（ステップＳ２のＹｅｓ）、電力供給部７の制御方式を、図３を参照して説明した第１制御方式に設定する（ステップＳ３）。
【００７１】
制御信号生成部８は、電力供給部７の制御方式を第１制御方式に設定すると、プルレス操作が行われたか否かを判定する（ステップＳ４）。
【００７２】
制御信号生成部８は、プルレス操作が行われていないと判定した場合（ステップＳ４のＮｏ）、光源部６から前回消灯時の光色の光を発生させる制御信号を生成する（ステップＳ５）。
【００７３】
制御信号生成部８は、プルレス操作が行われたと判定した場合（ステップＳ４のＹｅｓ）、光源部６の光色を前回消灯時の光色から異なる光色へ切り替える制御信号を生成する（ステップＳ６）。
【００７４】
制御信号生成部８は、交流電圧１０１ａが正弦波状の半波１０２を含まないと判定した場合（ステップＳ２のＮｏ）、図５に示すように、全ての半波１０２が前欠け１１１を含むか否かを判定する（ステップＳ７）。
【００７５】
図２（ｂ）〜図２（ｅ）を参照して説明したように、照明制御装置３から照明器具４へ交流電圧１０１ａの供給が開始された直後は、交流電圧１０１ａの制御方式が正位相調光方式である場合にのみ、前欠け１１１を含む半波１０２が出力される。制御信号生成部８は、半波１０２が前欠け１１１を含むと判定した場合（ステップＳ７のＹｅｓ）、交流電圧１０１ａの制御方式が正位相調光方式であると判定し、電力供給部７の制御方式を、図３を参照して説明した第２制御方式（正位相調光方式）に設定する（ステップＳ８）。
【００７６】
制御信号生成部８は、電力供給部７の制御方式を第２制御方式に設定すると、プルレス操作が行われたか否かを判定する（ステップＳ９）。
【００７７】
制御信号生成部８は、プルレス操作が行われていないと判定した場合（ステップＳ９のＮｏ）、光源部６から前回消灯時の光色の光を発生させる制御信号を生成する（ステップＳ１０）。
【００７８】
制御信号生成部８は、プルレス操作が行われたと判定した場合（ステップＳ９のＹｅｓ）、光源部６の光色を前回消灯時の光色から異なる光色へ切り替える制御信号を生成する（ステップＳ１１）。
【００７９】
制御信号生成部８は、半波１０２が前欠け１１１を含まないと判定した場合（ステップＳ７のＮｏ）、図６に示すように、後ろ欠け１１２の幅の割合が、予め規定された参照値以上であるか否かを判定する（ステップＳ１２）。換言すると、後ろ欠け１１２を含む半波１０２の導通角が所定値未満であるか否かを判定する。参照値は、第１データ制御方式の後ろ欠け１１２の幅（図２（ｅ）参照）の割合よりも大きい値に設定する。
【００８０】
制御信号生成部８は、後ろ欠け１１２の幅の割合が参照値以上であると判定した場合（ステップＳ１２のＹｅｓ）、交流電圧１０１ａの制御方式が逆位相調光方式であると判定し、電力供給部７の制御方式を、図３を参照して説明した第３制御方式（逆位相調光方式）に設定する（ステップＳ１３）。
【００８１】
制御信号生成部８は、電力供給部７の制御方式を第３制御方式に設定すると、プルレス操作が行われたか否かを判定する（ステップＳ１４）。
【００８２】
制御信号生成部８は、プルレス操作が行われていないと判定した場合（ステップＳ１４のＮｏ）、光源部６から前回消灯時の光色の光を発生させる制御信号を生成する（ステップＳ１５）。
【００８３】
制御信号生成部８は、プルレス操作が行われたと判定した場合（ステップＳ１４のＹｅｓ）、光源部６の光色を前回消灯時の光色から異なる光色へ切り替える制御信号を生成する（ステップＳ１６）。
【００８４】
制御信号生成部８は、後ろ欠け１１２の幅の割合が参照値以上ではないと判定した場合（ステップＳ１２のＮｏ）、逆位相調光方式と第１データ制御方式とを判別する判別モードに遷移する（ステップＳ１７）。例えば、後ろ欠け１１２の幅の割合と参照値との差が小さい場合、実際の後ろ欠け１１２の幅の割合が参照値以上であっても、後ろ欠け１１２の幅の割合が参照値以上ではないと制御信号生成部８が誤判定する可能性がある。このような場合に、制御信号生成部８は判別モードに遷移する。
【００８５】
制御信号生成部８は、判別モードに遷移すると、交流電圧１０１ａの制御方式が逆位相調光方式であるか第１データ制御方式であるかを判定できるまで、ステップＳ１８の処理とステップＳ１９の処理とを繰り返す。なお、ステップＳ１８の処理とステップＳ１９の処理とを繰り返す間、制御信号生成部８は、第３制御方式に基づいて電力供給部７を制御する。
【００８６】
ステップＳ１８において、制御信号生成部８は、ステップＳ１２と同様に、後ろ欠け１１２の幅の割合が参照値以上であるか否かを判定する。制御信号生成部８は、後ろ欠け１１２の幅の割合が参照値以上であると判定した場合（ステップＳ１８のＹｅｓ）、電力供給部７の制御方式を第３制御方式（逆位相調光方式）に設定する（ステップＳ１３）。一方、後ろ欠け１１２の幅の割合が参照値以上ではないと制御信号生成部８が判定した場合（ステップＳ１８のＮｏ）、処理はステップＳ１９に移る。例えば、ユーザーが調光器の光量操作部を操作した結果、後ろ欠け１１２の幅の割合が、制御信号生成部８が誤判定しない程度に参照値よりも大きくなった場合に、制御信号生成部８は、後ろ欠け１１２の幅の割合が参照値以上であると判定する（ステップＳ１８のＹｅｓ）。
【００８７】
ステップＳ１９において、制御信号生成部８は、半波１０２が前欠け１１１を含むか否かを判定する。換言すると、半波１０２が後ろ欠け１１２に加えて前欠け１１１を含むか否かを判定する。
【００８８】
図２（ｄ）を参照して説明したように、逆位相調光方式の半波１０２は前欠け１１１を含まない。一方、図２（ｅ）を参照して説明したように、第１データ制御方式では、照明制御装置３から照明器具４へ交流電圧１０１ａの供給が開始されてから所定の周期以後に、前欠け１１１及び後ろ欠け１１２を含む半波１０２が出力される。制御信号生成部８は、半波１０２が前欠け１１１を含むと判定した場合（ステップＳ１９のＹｅｓ）、交流電圧１０１ａの制御方式が第１データ制御方式であると判定し、電力供給部７の制御方式を、図３を参照して説明した第４制御方式（データ制御方式）に設定する（ステップＳ２０）。一方、半波１０２が前欠け１１１を含まないと制御信号生成部８が判定した場合（ステップＳ１９のＮｏ）、処理はステップＳ１８に戻る。
【００８９】
続いて、再び図３を参照して、電力供給部７及び制御信号生成部８を更に説明する。図３に示すように、本実施形態の電力供給部７は、整流回路７１と、平滑回路７２と、第１定電流回路７３ａと、第２定電流回路７３ｂとを備える。
【００９０】
整流回路７１には、照明制御装置３から、図２（ｂ）〜図２（ｅ）を参照して説明した交流電圧１０１ａが入力される。整流回路７１は、交流電圧１０１ａを整流する。整流回路７１は、例えば全波整流回路である。平滑回路７２は、整流回路７１の出力を平滑化する。第１定電流回路７３ａは、平滑回路７２の出力から第１定電流を生成する。第１定電流は第１光源６ａに供給される。第２定電流回路７３ｂは、平滑回路７２の出力から第２定電流を生成する。第２定電流は第２光源６ｂに供給される。
【００９１】
また、図３に示すように、本実施形態の制御信号生成部８は、比較回路８１と、パルス信号生成回路８２と、制御部８３とを備える。
【００９２】
比較回路８１は、整流回路７１の出力と閾値とを比較する。比較回路８１は、例えば、コンパレータを含む。比較回路８１の出力は、整流回路７１の出力と閾値との比較の結果を示す。
【００９３】
パルス信号生成回路８２は、整流回路７１の出力からパルス信号を生成する。交流電圧１０１ａの波形が制御されていない場合、パルス信号の各パルスは、図２（ｂ）を参照して説明した正弦波状の半波１０２に対応するパルス幅を有する。交流電圧１０１ａの制御方式が導通角制御方式（正位相調光方式又は逆位相調光方式）である場合、パルス信号の各パルスは、交流電圧１０１ａの各半波１０２の導通角に対応するパルス幅を有する。交流電圧１０１ａの制御方式がデータ制御方式である場合、パルス信号の各パルスは、前欠け１１１の有無（前欠け１１１を含む半波１０２の有無）を示す。詳しくは、各パルスのパルス幅が、前欠け１１１の有無を示す。
【００９４】
制御部８３は、比較回路８１の出力と、パルス信号生成回路８２の出力とに基づいて、第１定電流回路７３ａを制御する第１制御信号と、第２定電流回路７３ｂを制御する第２制御信号とを生成する。より具体的には、制御部８３は、処理部８３１と、記憶部８３２とを備える。
【００９５】
処理部８３１は、例えばＣＰＵ（Ｃｅｎｔｒａｌ  Ｐｒｏｃｅｓｓｉｎｇ  Ｕｎｉｔ）、又はＭＰＵ（Ｍｉｃｒｏ  Ｐｒｏｃｅｓｓｉｎｇ  Ｕｎｉｔ）のようなプロセッサである。処理部８３１は、記憶部８３２に記憶された制御プログラムに基づいて、第１制御信号と第２制御信号とを生成する。記憶部８３２は、例えばＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）のような半導体メモリーを備える。記憶部８３２は更に、ＨＤＤ（Ｈａｒｄ  Ｄｉｓｋ  Ｄｒｉｖｅ）のようなストレージデバイスを備えてもよい。記憶部８３２は、処理部８３１が実行する制御プログラムを記憶する。なお、制御部８３は、マイクロコンピュータであり得る。
【００９６】
詳しくは、処理部８３１は、比較回路８１の出力に基づいて、交流電圧１０１ａの波形が制御されているか否かを判定する。処理部８３１は、交流電圧１０１ａの波形が制御されていないと判定した場合、電力供給部７の制御方式を第１制御方式に設定する。
【００９７】
処理部８３１は、交流電圧１０１ａの波形が制御されていると判定した場合、比較回路８１の出力に基づいて、交流電圧１０１ａの制御方式が、正位相調光方式、逆位相調光方式、及び第１データ制御方式のいずれであるかを判定する。処理部８３１は、判定の結果に応じて、電力供給部７の制御方式を第２制御方式〜第４制御方式のうちのいずれかに設定する。
【００９８】
処理部８３１は、電力供給部７の制御方式を第１制御方式〜第３制御方式のいずれかに設定した場合、光源部６の消灯時（消灯直前）の光色を示す情報を記憶部８３２に記憶させる。また、処理部８３１は、電力供給部７の制御方式を第１制御方式〜第３制御方式のうちのいずれかに設定した場合、パルス信号生成回路８２の出力（パルス信号）に基づいて、プルレス操作が行われたか否かを判定する。具体的には、処理部８３１はタイマー機能を有する。交流電圧１０１ａの導通が遮断されると、処理部８３１は計時を開始して、交流電圧１０１ａの導通が遮断された後、所定期間が経過したか否かを判定する。処理部８３１は、所定期間内に交流電圧１０１ａの導通が開始されない場合、プルレス操作が行われなかったと判定する。処理部８３１は、所定期間内に交流電圧１０１ａの導通が開始された場合、プルレス操作が行われたと判定する。
【００９９】
処理部８３１は、プルレス操作が行われなかったと判定した場合、記憶部８３２に記憶した前回消灯時の光色の情報に基づいて、第１制御信号及び第２制御信号のうちの少なくとも一方を生成する。具体的には、前回消灯時の光色が２７００Ｋである場合、処理部８３１は第１制御信号を生成して、第１定電流回路７３ａから第１光源６ａへの電流の供給を開始させる。この結果、第１光源６ａが発光して、２７００Ｋの光が光源部６から発生する。前回消灯時の光色が５０００Ｋである場合、処理部８３１は第２制御信号を生成して、第２定電流回路７３ｂから第２光源６ｂへの電流の供給を開始させる。この結果、第２光源６ｂが発光して、５０００Ｋの光が光源部６から発生する。前回消灯時の光色が３５００Ｋである場合、処理部８３１は第１制御信号及び第２制御信号を生成して、第１定電流回路７３ａから第１光源６ａへの電流の供給を開始させるとともに、第２定電流回路７３ｂから第２光源６ｂへの電流の供給を開始させる。この結果、第１光源６ａ及び第２光源６ｂが発光して、３５００Ｋの光が光源部６から発生する。
【０１００】
処理部８３１は、プルレス操作が行われたと判定した場合、記憶部８３２に記憶した前回消灯時の光色の情報に基づいて、光源部６の光色を前回消灯時の光色から切り替える。具体的には、前回消灯時の光色が２７００Ｋである場合、処理部８３１は第１制御信号及び第２制御信号を生成して、３５００Ｋの光を光源部６から発生させる。前回消灯時の光色が３５００Ｋである場合、処理部８３１は第２制御信号を生成して、５０００Ｋの光を光源部６から発生させる。前回消灯時の光色が５０００Ｋである場合、処理部８３１は第１制御信号を生成して、２７００Ｋの光を光源部６から発生させる。
【０１０１】
処理部８３１は、電力供給部７の制御方式を第２制御方式又は第３制御方式に設定した場合、パルス信号生成回路８２から出力される各パルスのパルス幅に応じて、第１制御信号及び／又は第２制御信号のデューティ比を変化させる。
【０１０２】
具体的には、光源部６の光色が２７００Ｋである場合、処理部８３１は、交流電圧１０１ａの導通開始位相１１１ａ又は導通遮断位相１１２ａの変化に応じて、第１制御信号のデューティ比を変化させる。この結果、第１定電流回路７３ａから第１光源６ａへ供給される電流の電流値が変化して、光源部６の光量（第１光源６ａから発生する光の光量）が変化する。
【０１０３】
光源部６の光色が３５００Ｋである場合、処理部８３１は、交流電圧１０１ａの導通開始位相１１１ａ又は導通遮断位相１１２ａの変化に応じて、第１制御信号のデューティ比、及び第２制御信号のデューティ比を変化させる。この結果、第１定電流回路７３ａから第１光源６ａへ供給される電流の電流値が変化するとともに、第２定電流回路７３ｂから第２光源６ｂへ供給される電流の電流値が変化して、光源部６の光量（第１光源６ａから発生する光の光量と第２光源６ｂから発生する光の光量とを合計した光量）が変化する。
【０１０４】
光源部６の光色が５０００Ｋである場合、処理部８３１は、交流電圧１０１ａの導通開始位相１１１ａ又は導通遮断位相１１２ａの変化に応じて、第２制御信号のデューティ比を変化させる。この結果、第２定電流回路７３ｂから第２光源６ｂへ供給される電流の電流値が変化して、光源部６の光量（第２光源６ｂから発生する光の光量）が変化する。
【０１０５】
処理部８３１は、電力供給部７の制御方式を第４制御方式に設定した場合、パルス信号生成回路８２から出力される各パルスのパルス幅に対応するデータ列（ビット列）を生成する。データ列は、図１及び図２（ｅ）を参照して説明した前欠け１１１のパターンに対応する。処理部８３１は、生成したデータ列に基づいて、第１制御信号及び／又は第２制御信号を生成する。また、処理部８３１は、生成したデータ列に基づいて、第１制御信号及び／又は第２制御信号のデューティ比を決定する。この結果、第１光源６ａの光量と第２光源６ｂの光量とが個別に制御されて、前欠け１１１のパターンに対応する光色及び光量を有する光が光源部６から発生する。
【０１０６】
また、処理部８３１は、電力供給部７の制御方式を第４制御方式に設定した場合、光源部６を消灯させる際に、光源部６の光色を示す情報（データ列）と、光源部６の光量を示す情報（データ列）とを記憶部８３２に保持させる。処理部８３１は、光源部６の点灯時に、記憶部８３２が保持する情報に基づいて、第１定電流回路７３ａ及び／又は第２定電流回路７３ｂを制御する。詳しくは、処理部８３１は、前回消灯時と同じ光量及び光色を有する光が光源部６から発生するように、第１制御信号及び／又は第２制御信号を生成する。
【０１０７】
続いて図３、図７（ａ）及び図７（ｂ）を参照して、交流電圧１０１ａが制御されているか否かを判定する処理について説明する。図７（ａ）は整流回路７１の出力の一例を示す図であり、図７（ｂ）は比較回路８１の出力の一例を示す図である。詳しくは、図７（ａ）は、照明制御装置３が電源スイッチである場合に整流回路７１から出力される電圧１２１の波形の一例を示す。図７（ｂ）は、図７（ａ）に示す電圧１２１を閾値と比較することによって比較回路８１から出力されるパルス信号１３１を示す。
【０１０８】
図７（ａ）及び図７（ｂ）に示すように、整流回路７１によって交流電圧１０１ａが整流されると、電圧１２１が生成される。電圧１２１の波形は、交流電圧１０１ａの半波１０２に対応する半波１０２ａからなる。照明制御装置３が電源スイッチである場合、電圧１２１の波形は、正弦波状の半波１０２ａからなる。
【０１０９】
比較回路８１によって電圧１２１が閾値と比較されると、パルス信号１３１が生成されて制御部８３（処理部８３１）に入力される。本実施形態では、パルス信号１３１は、電圧１２１が閾値以上である際にＨレベルとなり、電圧１２１が閾値未満である際にＬレベルとなる。
【０１１０】
具体的には、照明制御装置３が電源スイッチである場合、正弦波状の半波１０２ａに応じて、パルス幅Ｔ０を有するパルス１３２が生成される。処理部８３１は、パルス幅Ｔ０を有するパルス１３２が入力されると、交流電圧１０１ａが制御されていないと判定する。パルス信号１３１のパルス幅は、例えばシステムクロックを参照して判定し得る。
【０１１１】
続いて図３、図８（ａ）、図８（ｂ）、及び図９（ａ）〜図９（ｃ）を参照して、交流電圧１０１ａの制御方式を判定する処理について説明する。図８（ａ）は整流回路７１の出力の一例を示す図であり、図８（ｂ）は比較回路８１の出力の一例を示す図である。詳しくは、図８（ａ）は、照明制御装置３が正位相調光方式の調光器である場合に整流回路７１から出力される電圧１２１の波形の一例を示す。図８（ｂ）は、図８（ａ）に示す電圧１２１を閾値と比較することによって比較回路８１から出力されるパルス信号１３１を示す。図９（ａ）は、図８（ａ）の一部を拡大して示す図である。図９（ｂ）は、図８（ｂ）の一部を拡大して示す図である。図９（ｃ）は、判定用パルス信号２０１を示す図である。
【０１１２】
図８（ａ）及び図８（ｂ）に示すように、電圧１２１の波形は、前欠け１１１を含む半波１０２ａからなる。比較回路８１によって電圧１２１が閾値と比較されると、パルス幅Ｔ１を有するパルス１３２が生成される。
【０１１３】
本実施形態において、処理部８３１は、図１を参照して説明した交流電源２から供給される交流電圧１０１を用いて判定用パルス信号２０１を生成する。判定用パルス信号２０１は、交流電圧１０１のゼロクロス点の直前に立下り、そのゼロクロス点の直後に立ち上がる。処理部８３１は、比較回路８１の出力と判定用パルス信号２０１とに基づいて、半波１０２ａが前欠け１１１を含むか否かを判定する。
【０１１４】
図９（ａ）〜図９（ｃ）に示すように、交流電圧１０１ａの制御方式が正位相調光方式である場合、パルス１３２の立ち上がりエッジは、判定用パルス信号２０１の立ち上がりエッジに対して遅延する。処理部８３１は、パルス１３２の立ち上がりエッジと判定用パルス信号２０１の立ち上がりエッジとを比較する。処理部８３１は、パルス１３２の立ち上がりエッジが判定用パルス信号２０１の立ち上がりエッジに対して遅延している場合、交流電圧１０１ａの制御方式が正位相調光方式であると判定する。
【０１１５】
続いて図３、図１０（ａ）及び図１０（ｂ）を参照して、交流電圧１０１ａの制御方式を判定する処理について説明する。図１０（ａ）は整流回路７１の出力の一例を示す図であり、図１０（ｂ）は比較回路８１の出力の一例を示す図である。詳しくは、図１０（ａ）は、照明制御装置３が逆位相調光方式の調光器である場合に整流回路７１から出力される電圧１２１の波形の一例を示す。図１０（ｂ）は、図１０（ａ）に示す電圧１２１を閾値と比較することによって比較回路８１から出力されるパルス信号１３１を示す。
【０１１６】
図１０（ａ）及び図１０（ｂ）に示すように、電圧１２１の波形は、後ろ欠け１１２を含む半波１０２ａからなる。比較回路８１によって電圧１２１が閾値と比較されると、パルス幅Ｔ２を有するパルス１３２が生成される。処理部８３１は、パルス信号１３１のＬレベル区間の幅Ｔ３を取得する。Ｌレベル区間の幅Ｔ３は、パルス信号１３１の周期Ｔと、パルス１３２のパルス幅Ｔ２との差から算出し得る。パルス信号１３１の周期Ｔは、システムクロックを参照して判定し得る。処理部８３１は、パルス信号１３１の周期Ｔに対するＬレベル区間の幅Ｔ３の割合（Ｔ３／Ｔ）が、予め規定された参照値以上であるか否かを判定する。割合（Ｔ３／Ｔ）が参照値以上である場合、処理部８３１は、照明制御装置３の制御方式が逆位相調光方式であると判定する。
【０１１７】
続いて図３、図１１（ａ）、図１１（ｂ）、及び図１２（ａ）〜図１２（ｃ）を参照して、交流電圧１０１ａの制御方式を判定する処理について説明する。図１１（ａ）は整流回路７１の出力の一例を示す図であり、図１１（ｂ）は比較回路８１の出力の一例を示す図である。詳しくは、図１１（ａ）は、照明制御装置３が２線式の照明コントローラである場合に整流回路７１から出力される電圧１２１の波形の一例を示す。図１１（ｂ）は、図９（ａ）に示す電圧１２１を閾値と比較することによって比較回路８１から出力されるパルス信号１３１を示す。図１２（ａ）は、図１１（ａ）の一部を拡大して示す図である。図１２（ｂ）は、図１１（ｂ）の一部を拡大して示す図である。図１２（ｃ）は、判定用パルス信号２０１を示す図である。
【０１１８】
図１１（ａ）及び図１１（ｂ）に示すように、電圧１２１の波形は、後ろ欠け１１２のみを含む半波１０２ａと、前欠け１１１及び後ろ欠け１１２を含む半波１０２ａとからなる。比較回路８１によって電圧１２１が閾値と比較されると、後ろ欠け１１２のみを含む半波１０２ａに応じて、パルス幅Ｔ４を有するパルス１３２が生成される。また、前欠け１１１及び後ろ欠け１１２を含む半波１０２ａに応じて、パルス幅Ｔ５を有するパルス１３２が生成される。
【０１１９】
図１２（ａ）〜図１２（ｃ）に示すように、前欠け１１１及び後ろ欠け１１２を含む半波１０２ａが生成されると、パルス１３２の立ち上がりエッジが、判定用パルス信号２０１の立ち上がりエッジに対して遅延する。処理部８３１は、パルス１３２の立ち上がりエッジと判定用パルス信号２０１の立ち上がりエッジとを比較する。処理部８３１は、パルス１３２の立ち上がりエッジが判定用パルス信号２０１の立ち上がりエッジに対して遅延した場合、交流電圧１０１ａの制御方式が第１データ制御方式であると判定する。
【０１２０】
以上、実施形態１について説明した。本実施形態によれば、照明器具４は、交流電圧１０１ａの制御方式が正位相調光方式と、逆位相調光方式と、第１データ制御方式とのいずれであるかを判別して、交流電圧１０１ａの制御方式に対応する制御方式で光源部６を制御することができる。したがって、照明制御装置３が、電源スイッチ、正位相調光方式の調光器、逆位相調光方式の調光器、及び２線式の照明コントローラのうちのいずれであっても、照明制御装置３により照明器具４を制御することができる。
【０１２１】
なお、本実施形態では、照明制御装置３が１つの照明器具４を制御したが、図１３に示すように、照明制御装置３は複数の照明器具４を制御してもよい。以下、図１３を参照して、本実施形態の照明システム１の他例を説明する。
【０１２２】
図１３は、本実施形態に係る照明システム１の他例を示すブロック図である。図１３に示す照明システム１は、照明制御装置３と、複数の照明器具４とを備える。図１３は、３つの照明器具４を例示している。図１３に示す照明システム１において、照明制御装置３は、ユーザーの操作に応じて複数の照明器具４を制御する。
【０１２３】
具体的には、照明制御装置３が電源スイッチである場合、ユーザーは、照明制御装置３（電源スイッチ）を操作して、複数の照明器具４の点灯及び消灯を切り替えることができる。また、ユーザーは、照明制御装置３（電源スイッチ）をプルレス操作して、複数の照明器具４から発生する光の光色を変化させることができる。
【０１２４】
照明制御装置３が正位相調光方式又は逆位相調光方式の調光器である場合、ユーザーは、照明制御装置３（調光器）の電源スイッチを操作して、複数の照明器具４の点灯及び消灯を切り替えることができる。また、ユーザーは、照明制御装置３（調光器）の光量操作部を操作して、複数の照明器具４から発生する光の光量を変化させることができる。また、ユーザーは、照明制御装置３（調光器）の電源スイッチをプルレス操作して、複数の照明器具４から発生する光の光色を変化させることができる。
【０１２５】
照明制御装置３が照明コントローラである場合、ユーザーは、照明制御装置３（照明コントローラ）の電源スイッチを操作して、複数の照明器具４の点灯及び消灯を切り替えることができる。また、ユーザーは、照明制御装置３（照明コントローラ）の光量操作部を操作して、複数の照明器具４から発生する光の光量を変化させることができる。また、ユーザーは、照明制御装置３（照明コントローラ）の光色操作部を操作して、複数の照明器具４から発生する光の光色を変化させることができる。
【０１２６】
なお、電源スイッチがプルレス操作されると、複数の照明器具４のそれぞれの処理部８３１（図３）が、プルレス操作が行われたか否かをそれぞれ判定する。具体的には、各処理部８３１（図３）は、交流電圧１０１ａの導通が遮断された後、所定期間内に交流電圧１０１ａの導通が開始されるか否かを判定する。より詳しくは、各処理部８３１（図３）は、交流電圧１０１ａの導通が開始されるタイミングと、所定期間の終了タイミングとを比較して、プルレス操作が行われたか否か判定する。ここで、交流電圧１０１ａの導通が開始されるタイミングと、所定期間の終了タイミングとの差は、一定ではなく、ユーザーによる電源スイッチの操作タイミングに依存する。そのため、交流電圧１０１ａの導通が開始される操作タイミングと、所定期間の終了タイミングとの差が小さい場合があり、そのような場合、各処理部８３１（図３）の製造バラツキによっては、プルレス操作が行われたか否かの判定結果にバラツキが生じる可能性がある。したがって、ユーザーが電源スイッチをプルレス操作した際に、ある照明器具４の光色が変化する一方で、他の照明器具４の光色が変化しない可能性がある。換言すると、複数の照明器具４の間で光色のずれが発生する可能性がある。光色のずれが発生すると、それ以降のプルレス操作により、光色がずれた状態のまま、複数の照明器具４の光色が順次切り替わる可能性がある。
【０１２７】
これに対し、第４制御方式（データ制御方式）では、複数の照明器具４の光色を制御する際に、照明制御装置３（照明コントローラ）から複数の照明器具４の各々に対し、ある光色を指定する前欠け１１１のパターン（データ列）を含む交流電圧１０１ａが送信され、複数の照明器具４のそれぞれの処理部８３１（図３）が、前欠け１１１のパターン（データ列）に基づいて、光源部６の光色を指定された光色に制御する。より具体的には、各処理部８３１（図３）は、制御信号設定区間において、各半波１０２が前欠けを含むか否かを判定することによって前欠け１１１のパターン（データ列）を解析して、光色を制御する。ここで、半波１０２が前欠けを含むか否かを判定する処理は、電源スイッチに対してプルレス操作が行われたか否かを判定する処理と異なり、ユーザーによる操作のタイミングの影響を受けない。したがって、第４制御方式（データ制御方式）では、複数の照明器具４間で光色のずれが発生しない。
【０１２８】
［実施形態２］
続いて図３、図１４（ａ）、図１４（ｂ）、図１５、及び図１６を参照して本発明の実施形態２について説明する。但し、実施形態１と異なる事項を説明し、実施形態１と同じ事項についての説明は割愛する。実施形態２は、第２データ制御方式を判別できる点が実施形態１と異なる。第２データ制御方式は、４線式又は３線式の照明コントローラに採用される。したがって、本実施形態の照明制御装置３は、電源スイッチ、正位相調光方式の調光器、逆位相調光方式の調光器、２線式の照明コントローラ、あるいは、４線式又は３線式の照明コントローラのうちのいずれかである。
【０１２９】
第２データ制御方式は、制御信号設定区間において、交流電圧の少なくとも１つの半波の前側の一部を切り欠く制御方式である。つまり、第２データ制御方式では、第１データ制御方式と異なり、各半波は後ろ欠け１１２を含まず、制御信号設定区間において、少なくとも１つの半波が、前欠け１１１のみを含む。なお、第２データ制御方式では、第１データ制御方式と同様に、ユーザーは、前欠け１１１を含む半波の導通開始位相を制御できない。第２データ制御方式は、特開２０１５−２１１０１４号公報（上記の特許文献２）に記載されている。
【０１３０】
まず図１４（ａ）及び図１４（ｂ）を参照して、４線式又は３線式の照明コントローラから出力される交流電圧の波形について説明する。図１４（ａ）は、交流電源２から照明制御装置３へ供給される交流電圧１０１を示す図である。図１４（ｂ）は、４線式又は３線式の照明コントローラから照明器具４へ供給される交流電圧１０１ａを示す図である。詳しくは、図１４（ｂ）は、照明コントローラの電源スイッチがオフの状態からオンの状態に遷移した直後の交流電圧１０１ａの波形を示す。
【０１３１】
図１４（ｂ）に示すように、４線式又は３線式の照明コントローラは、電源スイッチがオフの状態からオンの状態に遷移すると、まず、正弦波状の半波１０２を出力する。そして、所定の周期以後に、前欠け１１１を含む半波１０２を出力する。即ち、所定の周期後に、制御信号設定区間が開始される。第２データ制御方式では、前欠け１１１を含む半波１０２の導通開始位相１１１ａは一定であり、半波１０２の前側に位置する。
【０１３２】
続いて図３を参照して、実施形態２に係る制御信号生成部８について説明する。実施形態２に係る制御信号生成部８は、交流電圧１０１ａの波形に基づいて、交流電圧１０１ａの制御方式が正位相調光方式、逆位相調光方式、第１データ制御方式、及び第２データ制御方式のうちのいずれであるかを判定する。
【０１３３】
実施形態２に係る制御信号生成部８は、交流電圧１０１ａの制御方式が第２データ制御方式であると判定した場合、電力供給部７の制御方式を第５制御方式に決定し、第５制御方式に基づいて制御信号を生成する。第５制御方式はデータ制御方式である。制御信号生成部８は、第４制御方式と同様に、前欠け１１１のパターンに基づいて、光源部６の光量及び光色を制御する制御信号を生成する。すなわち、制御信号生成部８は、制御信号設定区間において交流電圧１０１ａの波形が示すデータ列に基づいて、光源部６の光量及び光色を制御する。
【０１３４】
続いて、図３及び図１５を参照して、実施形態２に係る制御信号生成部８が実行する処理について説明する。図１５は、実施形態２に係る制御信号生成部８が実行する処理を示すフローチャートである。図１５に示す処理は、ステップＳ２１〜ステップＳ２３の処理を含む点で、図４に示す処理と異なる。
【０１３５】
図２（ｂ）及び図１４（ｂ）を参照して説明したように、交流電圧１０１ａの出力が開始された直後は、照明制御装置３が電源スイッチであるか、あるいは４線式又は３線式の照明コントローラである場合に、正弦波状の半波１０２が出力される。制御信号生成部８は、交流電圧１０１ａが正弦波状の半波１０２を含むと判定した場合（ステップＳ２のＹｅｓ）、交流電圧１０１ａの出力が開始されてから所定期間が経過したか否かを判定する（ステップＳ２１）。制御信号生成部８は、所定期間が経過していないと判定すると（ステップＳ２１のＮｏ）、再度、所定期間が経過したか否かを判定する（ステップＳ２１）。制御信号生成部８は、所定期間が経過するまで、ステップＳ２１の処理を繰り返す。
【０１３６】
制御信号生成部８は、所定期間が経過したと判定すると（ステップＳ２１のＹｅｓ）、半波１０２が前欠け１１１を含むか否かを判定する（ステップＳ２２）。図２（ｂ）を参照して説明したように、照明制御装置３が電源スイッチである場合、交流電圧１０１ａの各半波１０２は前欠け１１１を含まない。一方、図１４（ｂ）を参照して説明したように、照明制御装置３が４線式又は３線式の照明コントローラである場合、照明制御装置３から照明器具４へ交流電圧１０１ａの供給が開始されてから所定の周期以後に、前欠け１１１を含む半波１０２が出力される。
【０１３７】
制御信号生成部８は、半波１０２が前欠け１１１を含むと判定した場合（ステップＳ２２のＹｅｓ）、交流電圧１０１ａの制御方式が第２データ制御方式であると判定し、電力供給部７の制御方式を第５制御方式（データ制御方式）に設定する（ステップＳ２３）。一方、制御信号生成部８は、半波１０２が前欠け１１１を含まないと判定した場合（ステップＳ２２のＮｏ）、電力供給部７の制御方式を第１制御方式に設定する（ステップＳ３）。
【０１３８】
続いて図３、図１６（ａ）及び図１６（ｂ）を参照して、交流電圧１０１ａの制御方式を判定する処理について説明する。図１６（ａ）は整流回路７１の出力の一例を示す図であり、図１６（ｂ）は比較回路８１の出力の一例を示す図である。詳しくは、図１６（ａ）は、照明制御装置３が４線式又は３線式の照明コントローラである場合に整流回路７１から出力される電圧１２１の波形の一例を示す。図１６（ｂ）は、図１６（ａ）に示す電圧１２１を閾値と比較することによって比較回路８１から出力されるパルス信号１３１を示す。
【０１３９】
図１６（ａ）及び図１６（ｂ）に示すように、電圧１２１の波形は、正弦波状の半波１０２ａと、前欠け１１１を含む半波１０２ａとからなる。具体的には、正弦波状の半波１０２ａに応じて、パルス幅Ｔ０を有するパルス１３２が生成される。また、前欠け１１１を含む半波１０２ａに応じて、パルス幅Ｔ６を有するパルス１３２が生成される。処理部８３１は、パルス幅Ｔ０を有するパルス１３２が入力された後に、パルス幅Ｔ６を有するパルス１３２が入力されると、交流電圧１０１ａの制御方式が第２データ制御方式であると判定する。
【０１４０】
以上、実施形態２について説明した。本実施形態によれば、正位相調光方式、逆位相調光方式、及び第１データ制御方式に加えて、第２データ制御方式を判別することができる。したがって、照明制御装置３が、電源スイッチ、正位相調光方式の調光器、逆位相調光方式の調光器、２線式の照明コントローラ、及び４線式又は３線式の照明コントローラのうちのいずれであっても、照明制御装置３により照明器具４を制御することができる。
【０１４１】
なお、第４制御方式と同様に、第５制御方式（データ制御方式）では、処理部８３１（図３）は前欠け１１１のパターンに基づいて光色を制御する。したがって、照明制御装置３が４線式又は３線式の照明コントローラである場合、複数の照明器具４を制御する照明システム１において、複数の照明器具４間で光色のずれは発生しない。
【０１４２】
［実施形態３］
続いて図３、図１７及び図１８を参照して本発明の実施形態３を説明する。但し、実施形態１、２と異なる事項を説明し、実施形態１、２と同じ事項についての説明は割愛する。実施形態３は、照明制御装置３の構成が実施形態１、２と異なる。
【０１４３】
まず図１７を参照して、本実施形態の照明システム１を説明する。図１７は、本実施形態に係る照明システム１を示すブロック図である。図１７に示すように、本実施形態の照明システム１は、照明制御装置３と、複数の照明器具４とを備える。図１７は、３つの照明器具４を例示している。本実施形態の照明システム１において、照明制御装置３は、ユーザーの操作に応じて複数の照明器具４を制御する。
【０１４４】
続いて図１７を参照して、本実施形態の照明制御装置３を説明する。本実施形態の照明制御装置３は、４線式又は３線式の照明コントローラである。以下、本実施形態の照明制御装置３を、「照明コントローラ３Ａ」と記載する場合がある。図１７に示すように、照明コントローラ３Ａは、スイッチ部３１、駆動部３２、入力部３３、表示部３４、及び制御部３５を備える。
【０１４５】
スイッチ部３１は、制御信号設定区間における交流電圧１０１ａの波形が、設定された前欠け１１１のパターンを含む波形となるように、交流電圧１０１の導通を制御する。駆動部３２は、スイッチ部３１を駆動する駆動信号を生成する。制御部３５は、駆動部３２を介して、スイッチ部３１の動作を制御する。
【０１４６】
スイッチ部３１に含まれるスイッチ素子は、例えば、半導体スイッチである。より具体的には、交流電源２が商用電源である場合、スイッチ素子は双方向サイリスタ（所謂トライアック）であり得る。スイッチ素子が双方向サイリスタである場合、駆動部３２は、双方向サイリスタのゲートを駆動する駆動信号を生成する。詳しくは、駆動部３２は、双方向サイリスタをターンオン及びターンオフさせるパルス状の駆動信号を発生する。なお、本実施形態において、交流電源２は商用電源である。
【０１４７】
入力部３３は、ユーザーインターフェースであり、実施形態１において説明した光色操作部３３ａ、光量操作部３３ｂ、及び電源スイッチ３３ｃを備える。本実施形態において、入力部３３は、プルレス操作スイッチ３３ｄを更に備える。プルレス操作スイッチ３３ｄは、プルレス操作を受け付ける。プルレス操作スイッチ３３ｄは、例えば、片切スイッチのようなスイッチ、又は押しボタンであり得る。
【０１４８】
制御部３５は、例えばＣＰＵ又はＭＰＵのようなプロセッサを有する。制御部３５は更に、例えばＲＡＭ及びＲＯＭのような半導体メモリーを有する。半導体メモリーは、プロセッサが実行する処理を規定するプログラムを記憶する。制御部３５は、例えばマイクロコンピュータであり得る。
【０１４９】
制御部３５は、ユーザーによる入力部３３の操作に応じて、前欠け１１１のパターンを設定する。そして、制御部３５は、制御信号設定区間において、交流電圧１０１ａの波形が、設定された前欠け１１１のパターンを含む波形となるように、駆動部３２を介してスイッチ部３１の動作を制御する。前欠け１１１のパターンの設定は、例えば、制御部３５の半導体メモリーにルックアップテーブルを記憶させておくことで実現してもよい。
【０１５０】
表示部３４は、ユーザーによる入力部３３の操作に応じて設定された光量及び光色の情報を表示する。したがって、ユーザーは、表示部３４を見ながら、照明器具４の光量及び光色を調整することができる。
【０１５１】
本実施形態では交流電源２が商用電源であるため、照明コントローラ３Ａはゼロクロス検出部３６を備える。ゼロクロス検出部３６は、交流電圧１０１のゼロクロス点１０３を検出する。制御部３５は、ゼロクロス検出部３６の検出結果に基づいてスイッチ部３１の動作を制御する。詳しくは、制御部３５は、ゼロクロス検出部３６の検出結果に基づいて、駆動部３２が駆動信号を生成するタイミングを制御する。換言すると、制御部３５は、スイッチ部３１に含まれるスイッチ素子がターンオン及びターンオフするタイミングを制御する。
【０１５２】
本実施形態において、制御部３５は、複数の照明器具４に対して前欠け１１１のパターンを含む交流電圧１０１ａを出力する際に、設定した前欠け１１１のパターンを記憶する。換言すると、制御部３５は、光源部６（図３）の現在の光色を示す情報と、光源部６（図３）の現在の光量を示す情報とを記憶する。制御部３５は、プルレス操作スイッチ３３ｄがプルレス操作されると、前回設定した前欠け１１１のパターンに基づいて、今回の前欠け１１１のパターンを決定する。具体的には、制御部３５は、今回の前欠け１１１のパターンとして、第１光色パターン、第２光色パターン、及び第３光色パターンのいずれかを設定する。ここで、第１光色パターンに対応するデータ列（ビット列）は、光源部６（図３）の光色を２７００Ｋに設定する指示を示す。第２光色パターンに対応するデータ列（ビット列）は、光源部６（図３）の光色を３５００Ｋに設定する指示を示す。第３光色パターンに対応するデータ列（ビット列）は、光源部６（図３）の光色を５０００Ｋに設定する指示を示す。
【０１５３】
続いて図３、図１７及び図１８を参照して、照明コントローラ３Ａの制御部３５が実行する処理を説明する。図１８は、本実施形態に係る照明制御装置３（照明コントローラ３Ａ）の制御部３５が実行する処理を示すフローチャートである。図１８に示す処理は、プルレス操作スイッチ３３ｄがプルレス操作されることで開始する。なお、制御部３５は、照明器具４と同様にプルレス操作が行われた否かを判定する。
【０１５４】
図１８に示すように、プルレス操作スイッチ３３ｄがプルレス操作されると、制御部３５は、前回設定した前欠け１１１のパターンに基づいて、光源部６の現在の光色が５０００Ｋであるか否かを判定する（ステップＳ３１）。
【０１５５】
制御部３５は、光源部６の現在の光色が５０００Ｋであると判定すると（ステップＳ３１のＹｅｓ）、今回の前欠け１１１のパターンとして第１光色パターンを設定して（ステップＳ３２）、図１８に示す処理を終了する。この結果、プルレス操作スイッチ３３ｄがプルレス操作されると、光源部６の光色が５０００Ｋから２７００Ｋに変化する。
【０１５６】
制御部３５は、光源部６の現在の光色が５０００Ｋでないと判定すると（ステップＳ３１のＮｏ）、光源部６の現在の光色よりも相関色温度が高い光色に、３５００Ｋ及び５０００Ｋの両方が含まれるか否かを判定する（ステップＳ３３）。
【０１５７】
制御部３５は、光源部６の現在の光色よりも相関色温度が高い光色に、３５００Ｋ及び５０００Ｋの両方が含まれると判定すると（ステップＳ３３のＹｅｓ）、今回の前欠け１１１のパターンとして第２光色パターンを設定して（ステップＳ３４）、図１８に示す処理を終了する。この結果、光源部６の光色が３５００Ｋに変化する。したがって、光源部６の現在の光色が２７００Ｋである場合、プルレス操作スイッチ３３ｄがプルレス操作されると、光源部６の光色が２７００Ｋから３５００Ｋに変化する。
【０１５８】
制御部３５は、光源部６の現在の光色よりも相関色温度が高い光色に、３５００Ｋ及び５０００Ｋの両方が含まれないと判定すると（ステップＳ３３のＮｏ）、今回の前欠け１１１のパターンとして第３光色パターンを設定して（ステップＳ３５）、図１８に示す処理を終了する。この結果、光源部６の光色が５０００Ｋに変化する。したがって、光源部６の現在の光色が３５００Ｋである場合、プルレス操作スイッチ３３ｄがプルレス操作されると、光源部６の光色が３５００Ｋから５０００Ｋに変化する。
【０１５９】
以上、実施形態３について説明した。本実施形態によれば、ユーザーが照明コントローラ３Ａのプルレス操作スイッチ３３ｄを連続してプルレス操作すると、処理部８３１が、前欠け１１１のパターンに基づいて、光源部６の光色を２７００Ｋ、３５００Ｋ及び５０００Ｋの順に順次切り替える。したがって、ユーザーは、照明制御装置３が電源スイッチ、正位相調光方式の調光器、及び逆位相調光方式の調光器である場合と同様に、照明コントローラ３Ａをプルレス操作して、照明器具４から発生する光の光色を変化させることができる。
【０１６０】
また、本実施形態によれば、処理部８３１は前欠け１１１のパターンに基づいて光色を制御する。具体的には、処理部８３１は、プルレス操作スイッチ３３ｄに対するプルレス操作に応じて光色を制御する際にも、前欠け１１１のパターンに基づいて光色を制御する。したがって、複数の照明器具４を制御する照明システム１において、ユーザーが照明コントローラ３Ａのプルレス操作スイッチ３３ｄをプルレス操作しても、電源スイッチに対するプルレス操作と異なり、複数の照明器具４間で光色のずれは発生しない。
【０１６１】
なお、本実施形態において、制御部３５は、前欠け１１１のパターンを第２光色パターン及び第３光色パターンのいずれかに決定する際に、光源部６の現在の光色よりも相関色温度が高い光色に、３５００Ｋ及び５０００Ｋの両方が含まれるか否かを判定したが（ステップＳ３３）、前欠け１１１のパターンを第２光色パターン及び第３光色パターンのいずれかに決定する処理は、そのような処理に限定されない。例えば、制御部３５は、光源部６の現在の光色よりも相関色温度が高い光色に、３５００Ｋ及び５０００Ｋのうち、５０００Ｋのみが含まれるか否かを判定してもよい。
【０１６２】
また、本実施形態において、照明制御装置３は、４線式又は３線式の照明コントローラであったが、照明制御装置３は、２線式の照明コントローラであってもよい。
【０１６３】
以上、本発明の実施形態について図面を参照しながら説明した。但し、本発明は、上記の実施形態に限られるものではなく、その要旨を逸脱しない範囲で種々の態様において実施することが可能である。
【０１６４】
例えば、本発明による実施形態では、判定用パルス信号２０１は、交流電圧１０１のゼロクロス点の直前に立ち下り、そのゼロクロス点の直後に立ち上がったが、処理部８３１は、交流電圧１０１のゼロクロス点の直前に立ち上がり、そのゼロクロス点の直後に立ち下がる判定用パルス信号を生成してもよい。
【０１６５】
また、本発明による実施形態では、第１光源６ａから２７００Ｋの光が発生し、第２光源６ｂから５０００Ｋの光が発生する構成を説明したが、第１光源６ａから発生する光の光色、及び第２光源６ｂから発生する光の光色は、互いに異なる光色である限り、特に限定されない。
【０１６６】
また、本発明による実施形態では、プルレス操作に応じて光源部６の光色が２７００Ｋ、３５００Ｋ、５０００Ｋの順に変化する構成を説明したが、プルレス操作に応じて変化する光源部６の光色は、特に限定されない。
【０１６７】
また、本発明による実施形態では、プルレス操作に応じて光源部６の光色が３段階で変化する構成を説明したが、光源部６の光色は、プルレス操作に応じて２段階で変化してもよいし、４段階以上で変化してもよい。
【０１６８】
また、本発明による実施形態では、照明器具４が、互いに光色が異なる２種類の光源を備える構成を説明したが、照明器具４は、互いに光色が異なる３種類以上の光源を備えてもよい。あるいは、照明器具４は、１種類の光源を備えてもよい。
【０１６９】
また、本発明による実施形態では、交流電源２として商用電源を例示したが、交流電源２は商用電源に限定されるものではなく、自家発電機等であってもよい。
【０１７０】
また、本発明による実施形態では、比較回路８１は、整流回路７１の出力（電圧１２１）が閾値以上である際にＨレベルとなるパルス信号１３１を生成したが、整流回路７１の出力が閾値未満である際にＨレベルとなるパルス信号が生成されてもよい。
【０１７１】
本願は、更に以下の付記を開示する。なお、以下の付記は、本発明を限定するものではない。
【０１７２】
［付記１］
照明器具を制御する照明制御装置であって、
交流電圧の波形の一部を変化させるように、前記交流電圧の導通を制御するスイッチ部と、
前記スイッチ部の動作を制御する制御部と、
プルレス操作を受け付ける入力部と
を備え、
前記プルレス操作は、前記交流電圧の導通が遮断された後、所定期間内に前記交流電圧の導通が開始される操作を示し、
前記制御部は、前記入力部が前記プルレス操作を受け付けると、前記プルレス操作に対応する切り欠きのパターンを前記交流電圧の波形が含むように前記スイッチ部を制御する、照明制御装置。
【０１７３】
［付記２］
前記スイッチ部は、制御信号設定区間において、前記交流電圧の少なくとも１つの半波の前側の少なくとも一部を切欠く、付記１に記載の照明制御装置。
【０１７４】
［付記３］
前記スイッチ部は、前記交流電圧の半波の後側の一部を切欠くとともに、制御信号設定区間において、前記少なくとも１つの半波の前側の少なくとも一部を切欠く、付記１に記載の照明制御装置。
【０１７５】
［付記４］
前記プルレス操作に対応する切り欠きのパターンは、前記照明器具から発生する光の光色を、予め規定された複数の光色のうちのいずれかに変化させる指示を示す、付記１から付記３のいずれか１つに記載の照明制御装置。
【０１７６】
［付記５］
前記制御部は、前記照明器具から現在発生している光の光色に基づいて、前記予め規定された複数の光色のうちの１つを決定する、付記４に記載の照明制御装置。
【産業上の利用可能性】
【０１７７】
本発明は、照明器具に使用される電源回路又は電源装置、あるいは照明器具に有用である。
【符号の説明】
【０１７８】
４        照明器具
５        光源制御装置
６        光源部
６ａ      第１光源
６ｂ      第２光源
７        電力供給部
８        制御信号生成部
【図１】
2020013785.tif 000003
【図２】
2020013785.tif 000004
【図３】
2020013785.tif 000005
【図４】
2020013785.tif 000006
【図５】
2020013785.tif 000007
【図６】
2020013785.tif 000008
【図７】
2020013785.tif 000009
【図８】
2020013785.tif 000010
【図９】
2020013785.tif 000011
【図１０】
2020013785.tif 000012
【図１１】
2020013785.tif 000013
【図１２】
2020013785.tif 000014
【図１３】
2020013785.tif 000015
【図１４】
2020013785.tif 000016
【図１５】
2020013785.tif 000017
【図１６】
2020013785.tif 000018
【図１７】
2020013785.tif 000019
【図１８】
2020013785.tif 000020